(57)【要約】      （修正有）【課題】従来からのソケットレンチに、手近にある汎用のＬ型レンチが差し込めて、ソケットレンチでネジを締緩する為のソケットレンチに嵌合して一体になったアダプターが、Ｌ型レンチから脱落しないようにする。【解決手段】ソケットレンチ１０に嵌合したアダプター１頭部の接続受け口孔に差し込んだＬ型レンチ５に、接続受け口孔１０の仕組みでＬ型レンチを把持する。【選択図】図１
2007144606.tif 000002
【特許請求の範囲】
【請求項１】
アダプターの下方に、従来からのソケットレンチの接続受け口孔に嵌合する四角柱片を形成したアダプターの上方頭部にＬ型レンチが差し込める孔を設け、この差し込み孔の形状は、Ｌ型レンチの切断面と同じ形状にしてこのＬ型レンチを嵌合する差し込み孔上辺の所定位置に第１リング溝を設け、これに第１スナップリングを嵌装しこれで、差し込み孔に差し込んだＬ型レンチを把持嵌合した状態になることを特徴とするアダプター。
【請求項２】
「請求項１」に記載したアダプターの差し込み孔上辺の所定位置にある第１リング溝より適宜な間隔を置いて第２リング溝を設け、これに第２スナップリングを嵌装してこれでＬ型レンチを把持もするが、Ｌ型レンチがこの第２スナップリングを押し広げて挿通すると、そのときの衝撃反発力が手に伝わるように構成したことも特徴としたアダプター。
【請求項３】
「請求項２」に記載したアダプターの第２リング溝を設けたこの奥側に待避室を設けたことを特徴とするアダプター。
【請求項４】
第２スナップリングの内径を六角形状にし、この角を含めて適宜な長さの切れ目を１２等分に入れたことを特徴とするスナップリング。
【請求項５】
「請求項１」に記載したアダプターの下方の四角柱片の中間位置に結合連結ボールが入る挿入孔を交差状に設け、これに挿入した結合連結ボールの内側球面に圧接するテーパ状ピンをスプリングで押し付けて対の四角壁面に結合連結ボールを圧接して対と結合することを特徴とするアダプター。
【発明の詳細な説明】
【技術分野】
【０００１】  本発明は、ネジを締緩するソケットレンチに関するものである。
【背景技術】
【０００２】  ネジを締緩するためには、ネジに嵌合した六角ナット、又はこれと同じに頭部が六角ボルトの六角形を回してネジを締緩するための六角形を回す工具には、六角形に合わせたスパナ、メガネレンチ、モンキーレンチ等で操作するが、これらの工具を使用する際、回す方向に障害物が遭ったり、これらの工具がネジの配置位置によっては工具を嵌め合わすことができない。【０００３】  それに対処する為に、Ｔ型ボックスレンチ、ソケットレンチ等を使用するが、このソケットレンチでネジを締緩する作業操作するにはソケットレンチ専用の工具が必要である。
それは、ソケットレンチ頭部の接続受け口孔が四角形状の孔であるから、これに嵌合する相手も四角柱形状が必要である。それが為にソケットレンチ専用の工具が必要となる。【０００４】  そこで、ソケットレンチ頭部の接続受け口穴の四角形状を変更して、俗にキャップスクリュウボルトのネジを締緩操作する為の手近にあるＬ型レンチの六角形状に合わせた六角形状の孔をソケットレンチに設ければよいが、現在に出まわっているソケットレンチの接続受け口孔の変更はできない。
【発明の開示】
【発明が解決しようとする課題】
【０００５】  解決しようとする問題点は、既存のソケットレンチの接続受け口孔に嵌合する四角柱形状を有し、他方にはＬ型レンチの六角形状に合わせた六角形状の孔を設ければよい。
【課題を解決するための手段】
【０００６】  本発明は、一端には四角柱形状を形成し、他方の頭部にはＬ型レンチの六角形状に合わせた六角形状の孔を設けたことを最も主要な特徴とする。
【発明の効果】
【０００７】  本発明は、両端の一端には四角柱形状を形成し、他方の頭部には六角形状の孔を備えたアダブターを形成し、既存のソケットレンチにこのアダブターを嵌合した状態でこれにＬ型レンチを嵌め合わせてアダブターと一体になったソケットレンチでネジの締緩ができる。
【発明を実施するための最良の形態】
【０００８】  アダプターの一端には四角柱形状を形成し、他端には六角形状の孔を設けた孔には、これにＬ型レンチを嵌合したときにはＬ型レンチを把持して、容易には抜け外れないような構造にして実現した。
【実施例１】
【０００９】  図１は、本発明の実施例の断面図であって、アダプター１の下方に四角柱片２を形成し、これをソケットレンチ１０の接続受け口孔１１に嵌合したときに、ソケットレンチ１０とアダプター１が互いに抜け外れないように四角柱片２の中間に、スプリングで外方に押し出された結合連結ボール３を設けてソケットレンチ１０とアダプター１を組み合わせると一体に結合した状態になる。アダプター１の上方の頭部にはＬ型レンチ５を差し込める孔４を設け、この差し込み孔４の形状は、Ｌ型レンチ５の切断面と同じ形状にしてこの差し込み孔４にＬ型レンチ５を差し込むと差し込み孔４とは嵌合した状態になり、Ｌ型レンチ５からは最大のトルクが掛けられる様にしておく。【００１０】  アダプター１頭部の差し込み孔４の上辺の所定位置に第１リング溝７を設け、これに第１スナップリング８を嵌装した差し込み穴４にＬ型レンチ５を差し込むと、第１スナップリング８の内径がＬ型レンチ５を把持するように締め付け力が掛かり、Ｌ型レンチ５でネジの締緩作業操作するときには、Ｌ型レンチ５を把持した状態のアダプター１は、これと一体になったソケットレンチ１０とも脱落しない。【００１１】Ｌ型レンチ５の長柱部１５の先端には六角エッジを有する球状部６を形成されている。この長柱部１５先端を差し込み孔４に押し込むと、球状部６が第１スナップリング８の内径を拡張して、球状部６が嵌合室１２に嵌まりこんだ球状部６を形成した首部９に第１スナップリング８が嵌まってアダプター１が球状部６を把持した状態になり、Ｌ型レンチ５からアダプター１は抜け外れないが、この状態では球状部６の特性からＬ型レンチ５が揺動運動をしながら同一回転を伝える特性から、Ｌ型レンチ５がネジの軸線より傾き外れて回転操作をしてもソケットレンチ１０はネジの軸線にそって締緩ができ、Ｌ型レンチ５でネジの仮締め、緩め作業が容易にできる。【００１２】  アダプター１の嵌合室１２に先端の球状部６が嵌まり込んだ状態で、これにＬ型レンチ５に回転トルクを強めると、回転モーメントの応力が首部９に集中し、球状部６が破損する恐れがある。
【実施例２】
【００１３】  これに対処するために、嵌合室１２の奥側で第１リング溝７より適宜な間隔位置に第２リング溝１３を設け、これに第２スナップリングを嵌装しておき、さきの嵌合室１２に嵌まり込んだ球状部６の先端で第２スナップリング１４を押し開くように、長柱部１５を把持してその状態位置からアダプター１の奥側の方に押し込むと、先端の球状部６は第２スナップリング１４を挿通して先端の球状部６はその先の待避室１６に嵌まり込み、嵌合室１２に嵌まり込んだ後部の長柱部１５の形状側面と差し込み孔４の六壁面は嵌合した状態であるから、Ｌ型レンチ５には強い力のトルク力を掛けて、アダプター１と一体になったソケットレンチ１０に強い回転力を与えることができ。
そして待避室１６に嵌まり込んだ球状部６にはアダプター１を回転させる負担が無いので球状部６は破損しない。
【実施例３】
【００１４】  上記のように、ネジの仮締めの時は球状部６が嵌合室１２に嵌まり込んだ状態でもよいが、ネジを強力に締め付ける場合にはＬ型レンチ５をアダプター１の奥側に更に押し込む必要があり、このときに第２スナップリング１４を押し開いて挿通する時に第２スナップリング１４の衝撃反発力が手に伝わり挿通したことが感知できる。このように第２スナップリング１４は挿通したことを確認できる作用を備えた感知リングでもある。【００１５】  このように、第２スナップリング１４は感知する作用をも備えたリングであるから、図３のように第２スナップリングの内径を六角形状にした角を含めて１２等分に配置した適宜な長さの切れ目１７を設けて置くと、先端球状部６が第２スナップリング１４を挿通するときには柔軟に拡張でき、また挿通したときの衝撃反発力が長柱部１５に拡大して伝える作用があって感知させる機能が確実になる。
【実施例４】
【００１６】  従来のソケットレンチ１０とこれに嵌め合わせたアダプター１では、結合連結ボール３が一箇所であるので一体に結合した状態でもぐらつく不安定感がある。そこでソケットレンチ１０の接続受け口孔１１の四壁面の各々に結合連結ボール３を圧接すれば解決できる。そこでソケットレンチ１０に嵌め合わせるアダプター１の四角柱片２の中間に結合連結ボール３が入る挿入孔１８を十文字状に交差した四箇所に設け、この挿入孔１８の外縁は（かしめ）てボール３が外れ出ないようにし、このボール３の内側球面に圧接するテーパ状ピン２０をスプリング１９で押し付けてソケットレンチ１０の接続受け口孔１１の四壁面に、結合連結ボール３を圧接してソケットレンチ１０とを互いに強く結合させる。【００１７】  このようにソケットレンチ１０とアダプター１が強固に結合した状態から、それぞれを分離するときに結合連結ボール３が圧接状態から基に戻らない時には、ソケットレンチ１０の貫通孔からテーパ状ピン２０を係止する係止パイプ２１内を通る丸棒を打ち込んでスプリング１９の方の基の位置にテーパ状ピン２０を押し戻すと、結合連結ボール３の圧接状態は解放されソケットレンチ１０とアダプター１は分離できる。
【産業上の利用可能性】
【００１８】  作業操作する工具の結合、組み立て、分離する方法のそれぞれの用途に適用できる。
【図面の簡単な説明】
【００１９】
【図１】ソケットレンチに嵌合した状態のアダプター部分の断面を示した断面図である。（実施例１）
【図２】アダプターの実施例２の断面図である。（実施例２）
【図３】第２スナップリングの平面図である。（実施例３）
【図４】アダプターの四角柱片部分の断面図である。（実施例４）
【符号の説明】
１  アダプター                          １２  嵌合室
２  四角柱片                            １３  第２リング溝
３  結合連結ボール                      １４  第２スナップリング
４  差し込み孔                          １５  長柱部
５  六角形Ｌ型レンチ                    １６  待避室
６  球状部                              １７  切れ目
７  第１リンク溝                        １８  挿入孔
８  第１スナップリング                  １９  スプリング
９  首部                                ２０  テーパー状ピン
１０  ソケットレンチ                      ２１  係止パイプ
１１  接続受け口孔
【図１】
2007144606.tif 000003
【図２】
2007144606.tif 000004
【図３】
2007144606.tif 000005
【図４】
2007144606.tif 000006